(57)【要約】【課題】様々な種類の洗い場床本体に対応できる排水ピットを用いつつも洗い場床本体の溝部に溜まった水を効率的に排水口へ排出できる浴室の洗い場床を提供する。【解決手段】排水ピットは、立壁面部と、前記立壁面部及び前記排水縁部に接する前記排水ピットの上端に形成された導水経路部と、前記導水経路部に繋がるように前記立壁面部より内側へ形成された切り欠き部と、を有し、前記導水経路部は、前記溝部に溜まった水を前記導水経路部上に溜まった水に対して途切れることを抑制する排水接続手段を有する。【選択図】図８
2019019579.tif 000002
【特許請求の範囲】
【請求項１】
複数の凸部および前記複数の凸部の間に連続して形成された溝部を有する洗い場床本体と、前記洗い場床本体に形成された排水縁部に下方から接続されることで排水口を形成する排水ピットと、を備えた浴室の洗い場床であって、
前記溝部は、前記排水縁部まで連続して繋がっており、
前記排水ピットは、
立壁面部と、
前記立壁面部及び前記排水縁部に接する前記排水ピットの上端に形成された導水経路部と、
前記導水経路部に繋がるように前記立壁面部より内側へ形成された切り欠き部と、
を有し、
前記導水経路部は、前記溝部に溜まった水を前記導水経路部上に溜まった水に対して途切れることを抑制する排水接続手段を有することを特徴とする浴室の洗い場床。
【請求項２】
前記排水接続手段は、前記導水経路部における前記立壁面部の上端から前記排水縁部までの距離を、前記洗い場床本体における下端から前記溝部の下端までの距離より、大きくしたことである請求項１に記載の浴室の洗い場床。
【請求項３】
前記排水接続手段は、前記導水経路部において、前記立壁面部の上端を、前記排水縁部に接触している位置より、高い位置に形成したことである請求項１に記載の浴室の洗い場床。
【請求項４】
前記排水接続手段は、前記導水経路部の表面を、前記洗い場床本体の表面より、撥水性が高いものとしたことである請求項１に記載の浴室の洗い場床。
【請求項５】
前記切り欠き部の前記導水経路部側の上端と前記導水経路部とが繋がる位置の曲率は、前記切り欠き部の前記洗い場床本体側の上端の曲率より、小さいことを特徴とする請求項１〜４の何れか１つに記載の浴室の洗い場床。
【発明の詳細な説明】
【技術分野】
【０００１】
本発明の態様は、一般的に、複数の凸部および複数の凸部の間に連続して形成された溝部を有する洗い場床本体と、洗い場床本体に形成された排水縁部に下方から接続されることで排水口を形成する排水ピットと、を備えた浴室の洗い場床に関する。
【背景技術】
【０００２】
近年、複数の凸部および前記複数の凸部の間に連続して形成された溝部を有する洗い場床本体と、前記洗い場床本体に形成された排水縁部に下方から接続されることで排水口を形成する排水ピットと、を備えた浴室の洗い場床が知られている。このような浴室の洗い場床において、洗い場床本体の溝部に溜まった水を効率的に排水口へ排出するために、溝部の位置に合わせて排水ピットの立壁面に切り欠きを形成する技術が知られている（特許文献１）。このような構成とすることにより、溝部に溜まった水が排水ピットの立壁面に形成された切り欠きを伝ってゆっくりと下降する水と連続して繋がることで、溝部に溜まった水を排水口へ排出することが可能である。
【０００３】
また、近年、洗い場床本体と排水ピットとを別々の部材で形成し、排水ピットの上端縁に洗い場床本体を載置することで、例えば洗い場床本体および排水ピットをそれぞれの要求仕様に見合った別々の材料・構造で形成することも行われている。
【０００４】
一方で、洗い場床本体に形成された複数の凸部の大きさや形によって入浴者が洗い場床を歩く際の踏み心地が異なるため、複数の凸部の大きさや形は、商品によって様々である。複数の凸部の大きさや形が異なると、複数の凸部の間に形成された溝部の間隔の大きさも異なる。溝部の間隔の大きさが異なる複数の種類の洗い場床本体であると、溝部の位置に合わせて排水ピットの立壁面に切り欠きを形成するためには、洗い場床本体の種類の数と同じだけ排水ピットの種類が必要になってしまい、それだけ製造コストが上がる。
【先行技術文献】
【特許文献】
【０００５】
【特許文献１】特開２０１３−１００７２１号公報
【発明の概要】
【発明が解決しようとする課題】
【０００６】
本発明は、かかる課題の認識に基づいてなされたものであり、様々な種類の洗い場床本体に対応できる排水ピットを用いつつも洗い場床本体の溝部に溜まった水を効率的に排水口へ排出できる浴室の洗い場床を提供することを目的とする。
【課題を解決するための手段】
【０００７】
第１の発明は、複数の凸部および前記複数の凸部の間に連続して形成された溝部を有する洗い場床本体と、前記洗い場床本体に形成された排水縁部に下方から接続されることで排水口を形成する排水ピットと、を備えた浴室の洗い場床であって、前記溝部は、前記排水縁部まで連続して繋がっており、前記排水ピットは、立壁面部と、前記立壁面部及び前記排水縁部に接する前記排水ピットの上端に形成された導水経路部と、前記導水経路部に繋がるように前記立壁面部より内側へ形成された切り欠き部と、を有し、前記導水経路部は、前記溝部に溜まった水を前記導水経路部上に溜まった水に対して途切れることを抑制する排水接続手段を有することを特徴とする浴室の洗い場床である。
【０００８】
この浴室の洗い場床によれば、排水ピットは、立壁面部と、立壁面部及び排水縁部に接する排水ピットの上端に形成された導水経路部と、導水経路部に繋がるように立壁面部に形成された切り欠き部と、を有し、且つ、導水経路部は、溝部に溜まった水を導水経路部上に溜まった水に対して途切れることを抑制する排水接続手段を有するため、排水接続手段によって、溝部に溜まった水を導水経路部上に溜まった水に対して途切れないように繋げ、導水経路部に繋がるように立壁面部に形成された切り欠き部によって、水を排出することができる。したがって、溝部の位置に合わせて排水ピットの立壁面に切り欠きを形成する必要なく、溝部に溜まった水を排水口へ効率的に排出しつつも、排水ピットの部品共通化を図ることができる。
【０００９】
第２の発明は、第１の発明において、前記排水接続手段は、前記導水経路部における前記立壁面部の上端から前記排水縁部までの距離を、前記洗い場床本体における下端から前記溝部の下端までの距離より、大きくしたことである浴室の洗い場床である。
【００１０】
この浴室の洗い場床によれば、導水経路部における立壁面部の上端から排水縁部までの距離を、洗い場床本体における下端から溝部の下端までの距離より、大きくしたことで、導水経路部に溜まることができる水の高さを、溝部の下端より高いものにしやすくなる。したがって、溝部に溜まった水を導水経路部上に溜まった水へ途切れないように繋げることができる。
【００１１】
第３の発明は、第１の発明において、前記排水接続手段は、前記導水経路部において、前記立壁面部の上端を、前記排水縁部に接触している位置より、高い位置に形成したことである浴室の洗い場床である。
【００１２】
この浴室の洗い場床によれば、導水経路部において、立壁面部の上端を、排水縁部に接触している位置より、高い位置に形成したことで、導水経路部に溜まった水が、自然と立壁面部の上端から排水縁部へ集まることになる。このことにより、導水経路部の排水縁部近傍に溜まった水の高さを、溝部の下端より高いものにしやすくなる。したがって、溝部に溜まった水を導水経路部上に溜まった水へ途切れないように繋げることができる。
【００１３】
第４の発明は、第１の発明において、前記排水接続手段は、前記導水経路部の表面を、前記洗い場床本体の表面より、撥水性が高いものとしたことである浴室の洗い場床である。
【００１４】
この浴室の洗い場床によれば、導水経路部の表面を、洗い場床本体の表面より撥水性が高いものとしたことで、導水経路部に溜まった水の接触角度が大きくなり、導水経路部に溜まった水の高さを、溝部の下端より高いものにしやすくなる。したがって、溝部に溜まった水を導水経路部上に溜まった水へ途切れないように繋げることができる。
【００１５】
第５の発明は、第１〜４の何れか１つの発明において、前記切り欠き部の前記導水経路部側の上端と前記導水経路部とが繋がる位置の曲率は、前記切り欠き部の前記洗い場床本体側の上端の曲率より、小さいことを特徴とする浴室の洗い場床である。
【００１６】
この浴室の洗い場床によれば、導水経路部に溜まった水が、切り欠き部における立壁面部に近い位置からではなく、切り欠き部における洗い場床本体側の位置から流れやすくなるため、導水経路部に溜まった水を纏めて切り欠き部から流れ落すことができる。
【発明の効果】
【００１７】
本発明の態様によれば、様々な種類の洗い場床本体に対応できる排水ピットを用いつつも洗い場床本体の溝部に溜まった水を効率的に排水口へ排出できる浴室の洗い場床を提供することができる。
【図面の簡単な説明】
【００１８】
【図１】本発明の実施の形態に係る浴室を示す模式的上面図である。
【図２】図１の浴室における洗い場床を示す模式的上面図である。
【図３】図２の洗い場床を示す模式的部分斜視図である。
【図４】図２の洗い場床を示す模式的部分斜視図である。
【図５】図２の洗い場床における排水ピット内からみた洗い場床を示す模式的正面図である。
【図６】図２の洗い場床を示す模式的部分断面図である。
【図７】本発明の実施の形態に係る変形例の浴室の洗い場床を示す模式的部分断面図である。
【図８】図２の洗い場床における排水の流れを示す模式的部分斜視図である。
【図９】図２の洗い場床における排水の流れを示す模式的部分斜視図である。
【図１０】図２の洗い場床における排水ピットの切り欠き部部分を示す模式的部分断面図である。
【発明を実施するための形態】
【００１９】
以下、本発明の実施の形態について図面を参照しつつ説明する。なお、各図面中、同様の構成要素には同一の符号を付して詳細な説明は適宜省略する。
【００２０】
図１は、本発明の実施の形態に係る浴室を示す模式的上面図である。
図２は、図１の浴室における洗い場床を示す模式的上面図である。
図３および図４は、図２の洗い場床を示す模式的部分斜視図である。
図５は、図２の洗い場床における排水ピット内からみた洗い場床を示す模式的正面図である。
なお、図１には、洗い場床本体の表面に形成された凸部および凹部（溝部）の図示を省略している。
また、図３は、図２の洗い場床において凹部と切り欠き部の位置が合っていない（上面視において繋がっていない）位置を示す模式的部分斜視図であり、図４は、図２の洗い場床において凹部と切り欠き部の位置が合っている（上面視において繋がっている）位置を示す模式的部分斜視図である。
【００２１】
図１〜５に示すように、本発明の実施の形態に係る浴室１００は、湯水が貯まることで入浴者が入浴可能とする浴槽１と、入浴者が歩行可能な洗い場床３と、入浴者が入室可能な入室ドア（図示せず）と、浴室内空間の四方を囲むように設けられた浴室壁（図示せず）と、浴室壁の上部に接続された浴室天井（図示せず）と、を備えている。
【００２２】
洗い場床３は、洗い場床本体２と、排水ピット１４を備えている。洗い場床本体２は、基部４と、基部４より上方に形成された複数の凸部６および複数の凸部６の間に連続して形成された凹部（溝部）８を有する。凹部８は、互いに連続して繋がっている。凸部６および凹部８の表面は、親水化処理されている。凸部６および凹部８の表面は、親水性塗料でコーティングされている。凸部６および凹部８の表面に親水性塗料をコーティングすることで、凸部６および凹部８の表面の表面には水玉状の残水が発生しにくくなる。親水性塗料の具体例としては、例えば、−ＯＨ、−Ｏ−、−ＮＨＣＯ−、−ＣＯＮＨ２、−ＣＯＯＨ、−ＳＯ３Ｈ、−ＯＰＯ（ＯＨ）２、−ＮＨ２、−ＮＨ−、−ＮＲ２等の親水性基をもつポリマーと溶媒とから構成される親水性塗料が挙げられる。なお、凸部６および凹部８の表面に付着した水滴の接触角度は、例えば４０度以下、より好ましくは２５度以下となるように洗い場床３を形成することが良い。
【００２３】
排水ピット１４は、洗い場床本体２に形成された排水縁部１０に下方から接続されている。即ち、洗い場床本体２は、排水ピット１４と、別体（別部材）である。排水ピット１４は、例えばポリプロピレンで形成されている。排水ピット１４の表面は、親水性塗料をコーティングされておらず、洗い場床本体２の表面よりも親水性能は低い。言い換えると、排水ピット１４の表面は、洗い場床本体２の表面よりも、撥水性能が高い。排水ピット１４の表面に付着した水滴の接触角度は、例えば９０度以上である。
【００２４】
図３〜図５に示すように、排水ピット１４は、立壁面部１６と、導水経路部１８と、切り欠き部（切り欠き溝）２０と、を有する。立壁面部１６は、排水口１２の周囲を囲むように、略垂直（例えば傾斜角度８０〜１００度）に形成された壁面である。導水経路部１８は、立壁面部１６及び排水縁部１０に接する排水ピット１４の上端に形成されている。切り欠き部２０は、導水経路部１８に繋がるように立壁面部１６より内側へ形成された溝である。
【００２５】
排水縁部１０に設けられた凹部８と繋がっている開口２２付近において、排水縁部１０に繋がっている凹部８の端は、上面視において、Ｖ字状に広がるような形状となっている。
【００２６】
洗い場床本体２の表面、例えば凸部６および凹部８の表面は、排水ピット１４に向かった、傾斜している。この傾斜角度は、例えば、０．５〜５度程度である。このことにより、凹部８の表面に溜まった水は、徐々に、排水ピット１４の方向、即ち排水縁部１０に向かって、途切れずに流れていくことになる。この際、上述したように、凸部６および凹部８の表面は親水化処理されているため、凸部６の表面に付着した水も広がりやすく、広がった水が凹部８に溜まった水と結合することで、凸部６の表面に付着した水も排水縁部１０に向かって、途切れずに流れやすくなる。
【００２７】
導水経路部１８は、凹部８に溜まった水を導水経路部１８上に溜まった水に対して途切れることを抑制する排水接続手段を有する。この排水接続手段については、後に詳述する。
【００２８】
切り欠き部２０は、切り欠き部２０内に入り込んだ水に発生する表面張力を、凹部８に溜まった水に発生する表面張力より大きくする表面張力増大手段を有する。この表面張力増大手段については、後に詳述する。
【００２９】
図６は、図２の洗い場床を示す模式的部分断面図である。
【００３０】
図６に示すように、導水経路部１８における立壁面部１６の上端から排水縁部１０までの距離Ｘ１（立壁面部１６の上端から基部４までの距離Ｘ１）が、洗い場床本体２における下端から凹部８の下端までの距離Ｙより、大きい。言い換えると、導水経路部１８の幅方向の長さＸ１は、基部４の厚みＹより、大きい。このような構成によって、導水経路部１８に溜まることができる水の高さを、凹部８の下端より高いものにしやすくなる。
仮に、導水経路部における立壁面部の上端から排水縁部までの距離を洗い場床本体における下端から凹部の下端までの距離より小さいものであると、導水経路部に溜まる水の高さが凹部の下端より高いものに成長する前に、立壁面部から流れ落ちてしまう。このような洗い場床であると、凹部に溜まった水と導水経路部１８上に溜まった水とが繋がらず、凹部に溜まった水が排水口へ適切に流れずに停滞してしまう。
一方で、本発明の実施の形態に係る洗い場床３では、導水経路部１８における立壁面部１６の上端から排水縁部１０までの距離Ｘ１が洗い場床本体２における下端から凹部８の下端までの距離Ｙより大きいため、凹部８に溜まった水を導水経路部１８上に溜まった水へ途切れないように適切に繋げることができる。
したがって、導水経路部１８における立壁面部１６の上端から排水縁部１０までの距離Ｘ１を、洗い場床本体２における下端から凹部８の下端までの距離Ｙより、大きくしたことが、排水接続手段の１つである。
なお、導水経路部１８における立壁面部１６の上端のＲが始まる位置から排水縁部１０までの距離Ｘ２を、洗い場床本体２における下端から凹部８の下端までの距離Ｙより、大きくすることが、より好ましい。
【００３１】
図７は、本発明の実施の形態に係る変形例の浴室の洗い場床を示す模式的部分断面図である。
【００３２】
図７に示すように、例えば、導水経路部１８において、立壁面部１６の上端を排水縁部１０に接触している位置より高い位置に形成しても良い。このことにより、導水経路部１８に溜まった水が、自然と立壁面部１６の上端から排水縁部１０へ集まることになる。このことにより、導水経路部１８の排水縁部１０近傍に溜まった水の高さを、凹部８の下端より高いものにしやすくなる。よって、凹部８に溜まった水を導水経路部１８上に溜まった水へ途切れないように適切に繋げることができる。
したがって、導水経路部１８において、立壁面部１６の上端を排水縁部１０に接触している位置より高い位置に形成することも、排水接続手段の１つである。
【００３３】
なお、より好ましくは、導水経路部１８において、立壁面部１６の上端から排水縁部１０に接触している位置へ向かって傾斜する傾斜面を形成しても良い。このことにより、導水経路部１８に溜まった水が、より立壁面部１６の上端から排水縁部１０へ集まることになる。
【００３４】
切り欠き部２０の深さは凹部８の深さより大きい。このことにより、切り欠き部２０内における水に発生する表面張力が凹部８内における水の表面張力より大きくなり、凹部８に溜まった水を導水経路部１８上に溜まった水に対して途切れないように繋げた状態で、導水経路部１８に繋がるように立壁面部１６に形成された切り欠き部２０によって、水を排出することができる。なお、切り欠き部２０の深さは１．０ｍｍ以上が好ましい。
したがって、切り欠き部２０の深さを凹部８の深さより大きくしたことが、表面張力増大手段の１つである。
【００３５】
切り欠き部２０の幅は凹部８の幅より小さい。このことにより、切り欠き部２０内における水に発生する表面張力が凹部８内における水の表面張力より大きくなり、凹部８に溜まった水を導水経路部１８上に溜まった水に対して途切れないように繋げた状態で、導水経路部１８に繋がるように立壁面部１６に形成された切り欠き部２０によって、水を排出することができる。なお、切り欠き部２０の幅は３．５ｍｍ以下が好ましい。
したがって、切り欠き部２０の幅を凹部８の幅より狭くしたことも、表面張力増大手段の１つである。
【００３６】
切り欠き部２０の表面粗さは凹部８の表面粗さより大きい。このことにより、切り欠き部２０内における水に発生する表面張力が凹部８内における水の表面張力より大きくなり、凹部８に溜まった水を導水経路部１８上に溜まった水に対して途切れないように繋げた状態で、導水経路部１８に繋がるように立壁面部１６に形成された切り欠き部２０によって、水を排出することができる。
したがって、切り欠き部２０の表面粗さを凹部８の表面粗さより大きくしたことも、表面張力増大手段の１つである。
【００３７】
図８及び図９は、図２の洗い場床における排水の流れを示す模式的部分斜視図である。
図１０は、図２の洗い場床における排水ピットの切り欠き部部分を示す模式的部分断面図である。
なお、図８は、特に洗い場床の残水排出が行われている初期の状態における、図２の洗い場床における排水の流れを示す模式的部分斜視図であり、図９は、特に洗い場床の残水排出が行われている終期の状態における、図２の洗い場床における排水の流れを示す模式的部分斜視図である。図８及び図９において、矢印で表しているのは、仮想的な水の流れである。
【００３８】
上述したように、凸部６および凹部８の表面は親水化処理されており、凸部６の表面に付着した水は広がり、広がった水が凹部８内に溜まった水と結合する。凹部８の表面に溜まった水は、排水ピット１４に向かって設けられた排水勾配に沿って、徐々に、排水縁部１０へ流れていく。この排水勾配（傾斜角度）は、上述したように非常に緩やかであるため、凹部８の表面に溜まった水は、ゆっくりと排水縁部１０へ流れていくことになる。
【００３９】
排水縁部１０近傍までたどり着いた凹部８内の水は、導水経路部１８の表面に溜まった水と、上述した排水接続手段によって、結合することになる。導水経路部１８の表面に溜まった水は、切り欠き部２０から流れ落ちる水と繋がるため、切り欠き部２０から流れ落ちる水の勢いで、徐々に切り欠き部２０内へ引き込まれ、排水口１２へ排出される。
これら一連の流れによって、洗い場床本体２の表面に溜まった水、導水経路部１８の表面に溜まった水、そして切り欠き部２０内の水は、互いに繋がった状態で、排水口へ排出されることになる。
【００４０】
また、上述した表面張力増大手段によって、洗い場床本体２の表面に溜まった水に働く表面張力より、切り欠き部２０内の水に働く表面張力が大きくなるため、洗い場床本体２の表面に溜まった水と切り欠き部２０内の水との間で、導水経路部１８の表面に溜まった水を介した引っ張り合いが起こった際にも、切り欠き部２０内の水の流れによって、洗い場床本体２の表面に溜まった水及び導水経路部１８の表面に溜まった水を切り欠き部２０内へしっかりと引き込むことができる。
【００４１】
この際、表面張力増大手段によって強力に水を排出できるようになったことによって、切り欠き部２０の数が多いと、切り欠き部２０から流れ落ちる水の排出量が多くなりすぎてしまい、導水経路部１８の表面に溜まった水が一気に排出されて水が途切れてしまう可能性がある。
一方、本発明の実施の形態に係る洗い場床３においては、図２や図５で示したように、切り欠き部２０の数は、導水経路部１８に繋がった凹部８の数より少ない。言い換えると、切り欠き部２０の数は、排水縁部１０に設けられた凹部８と繋がっている開口２２の数より、少ない。このことにより、表面張力増大手段によって強力に水を排出した際にも、導水経路部１８の表面に溜まった水が一気に排出されて水が途切れてしまうことを抑制できる。
【００４２】
図９に示すように、特に洗い場床３上の残水が少なくなった際には、切り欠き部２０における立壁面部１６に近い位置からではなく、切り欠き部２０における洗い場床本体２側の位置から流れやすくなっている。これは、図９及び図１０に示すように、切り欠き部２０の導水経路部１８側の上端２３と導水経路部１８とが繋がる位置の曲率が、切り欠き部２０の洗い場床本体２側の上端である曲面２４の曲率より小さいことによるものである。すなわち、切り欠き部２０の導水経路部１８側の上端２３は、切り欠き部２０の洗い場床本体２側の上端より鋭く形成されている。このことにより、導水経路部１８に溜まった水が少なくなった際には、導水経路部１８に溜まった水は切り欠き部２０の導水経路部１８側の上端２３から切り欠き部２０へ落下しづらくなり、一方で、切り欠き部２０の洗い場床本体２側の上端から切り欠き部２０へ緩やかな曲率の曲面２４に沿って比較的ゆっくりと流れ落ちている水と、切り欠き部２０の導水経路部１８側の上端２３に溜まった導水経路部１８の水と、が結合しやすくなる。したがって、特に洗い場床３上の残水が少なくなった際には、切り欠き部２０における立壁面部１６に近い位置からではなく、切り欠き部２０における洗い場床本体２側の位置から流れやすくなる。このことから、特に洗い場床３上の残水が少なくなった際には、導水経路部１８に溜まった水を纏めて切り欠き部２０から流れ落すことができる。
【００４３】
図１０に示すように、洗い場床本体２の下端面（基部４の下端面）と切り欠き部２０の洗い場床本体２側の上端である曲面２４との間には、半隠蔽空間である隙間が形成されている。このことにより、切り欠き部２０の洗い場床本体２側の上端の隙間に入った水に働く表面張力の大きさを局所的に増大させることができ、切り欠き部２０における立壁面部１６に近い位置からではなく、切り欠き部２０における洗い場床本体２側の位置からより流れやすくなる。このことから、特に洗い場床３上の残水が少なくなった際には、より導水経路部１８に溜まった水を纏めて切り欠き部２０から流れ落すことができる。
【００４４】
以上、本発明の実施の形態について説明した。しかし、本発明はこれらの記述に限定されるものではない。
【００４５】
前述の実施の形態に関して、当業者が適宜設計変更を加えたものも、本発明の特徴を備えている限り、本発明の範囲に包含される。例えば、浴室１００や洗い場床３などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４６】
１ 浴槽、  ２ 洗い場床本体、  ３ 洗い場床、  ４ 基部、  ６ 凸部、  ８ 凹部（溝部）、  １０ 排水縁部、  １２ 排水口、  １４ 排水ピット、  １６ 立壁面、  １８ 導水経路部、  ２０ 切り欠き部（切り欠き溝）、  ２２ 開口、  ２３ 上端、  ２４ 曲面、  １００ 浴室
【図１】
2019019579.tif 000003
【図２】
2019019579.tif 000004
【図３】
2019019579.tif 000005
【図４】
2019019579.tif 000006
【図５】
2019019579.tif 000007
【図６】
2019019579.tif 000008
【図７】
2019019579.tif 000009
【図８】
2019019579.tif 000010
【図９】
2019019579.tif 000011
【図１０】
2019019579.tif 000012